(57)【特許請求の範囲】
【請求項１】
弾性的に変位する片持ち梁状の弾性ロックアームを有するアダプタに嵌合されるコネクタハウジングを有する光ファイバコネクタであって、前記コネクタハウジングが前記アダプタに嵌合された際に、前記弾性ロックアームが前記コネクタハウジングをロックする光ファイバコネクタにおいて、
前記コネクタハウジングに、引張操作によって、前記弾性ロックアームの前記コネクタハウジングに対するロック状態を解除する、可撓性を有するプルタブを固着し、
前記コネクタハウジングに、前記弾性ロックアームが前記コネクタハウジングをロックする際に、前記弾性ロックアームが係合する、光ファイバケーブルが延びる方向に対して交差する方向に延びる肩部を形成し、前記プルタブは、前記弾性ロックアームが前記コネクタハウジングをロックする際に、前記肩部と前記弾性ロックアームの一部との間に配置されるように、前記コネクタハウジングに固着されることを特徴とする光ファイバコネクタ。
【請求項２】
前記プルタブは、前記コネクタハウジングに固着される平板状の固着部と、該固着部から前記コネクタハウジングの端部を超えて光ファイバケーブルが延びる方向と平行方向に延びる摘み部とを備えることを特徴とする請求項１記載の光ファイバコネクタ。
【請求項３】
前記摘み部が、前記固着部に対して直交する平板状に形成されていることを特徴とする請求項２記載の光ファイバコネクタ。
【発明の詳細な説明】
【技術分野】
【０００１】
弾性的に変位する片持ち梁状の弾性ロックアームが嵌合相手のアダプタ側に設けられている場合に、弾性ロックアームによるロック解除を容易に行うことができる光ファイバコネクタに関する。
【背景技術】
【０００２】
光ファイバを有する光ファイバケーブルは、高速通信及びデータ通信に使用され、対向する光ファイバケーブルの端部には、一対の光ファイバコネクタが設けられる。これら一対の光ファイバコネクタは、アダプタを介して相互接続されるのが一般的である。
ここで、一対の光ファイバコネクタのうち一方の光ファイバコネクタは、アダプタの一端側からアダプタに嵌合され、他方の光ファイバコネクタは、アダプタの他端側からアダプタに嵌合される。そして、アダプタに嵌合された一対の光ファイバコネクタは、それぞれ、アダプタ及び各光ファイバコネクタに設けられたロック機構によりロックされ、また、そのロック状態が解除されるようになっている。
【０００３】
従来、ロック状態を解除する機能を有する光ファイバコネクタとして、例えば、図７（Ａ），（Ｂ）に示すものが知られている（特許文献１参照）。
図７（Ａ），（Ｂ）に示す光ファイバコネクタ１００は、コネクタハウジング１１０と、コネクタハウジング１１０にスライド可能に装着されるカバー１２０とを備えている。コネクタハウジング１１０には、図示しない光ファイバケーブルの光ファイバが支持されるフェルール１１７が設けられている。また、コネクタハウジング１１０の両側壁には、弾性アーム１１４が設けられている。弾性アーム１１４の先端には、カバー１２０に形成された開口１２１内に位置してカバー１２０の前方（図７（Ｂ）における左方）への移動を規制する係止突起１１５が設けられている。また、コネクタハウジング１１０の後端には、カバー１２０の後端（図７（Ｂ）における右端）が当接してカバー１２０の後方への移動を規制するストッパ突起１１６が設けられている。
【０００４】
そして、コネクタハウジング１１０の前方部には、接続相手（図示せず）の係合部分をロックする、弾性的に変位する片持ち梁状の弾性ロックアーム１１１が設けられている。弾性ロックアーム１１１は、コネクタハウジング１１０の前方部から前方に延び、その先端に前記係合部分をロックするロック突起１１２が設けられている。そして、弾性ロックアーム１１１の中間部分には、傾斜部１１３が設けられている。
【０００５】
また、カバー１２０には、カバー１２０を後方へスライドさせたときに、弾性ロックアーム１１１の傾斜部１１３を押圧して弾性ロックアーム１１１を下方へ押し下げる押圧部１２２が設けられている。また、カバー１２０の後端部には、カバー１２０をコネクタハウジング１１０に対してスライド操作するための平坦な帯状の操作摘み１３０が設けられている。
【０００６】
そして、光ファイバコネクタ１００が接続相手に嵌合している状態で、操作摘み１３０を後方へ引張操作する。これにより、カバー１２０が後方へスライドし、カバー１２０の押圧部１２２が弾性ロックアーム１１１の傾斜部１１３を押圧して弾性ロックアーム１１１を下方へ押し下げる。これにより、弾性ロックアーム１１１による接続相手とのロック状態を解除することができる。
【０００７】
また、ロック状態を解除する機能を有する光ファイバコネクタとして、例えば、特許文献２に示すもの（図示せず）も知られている。
特許文献２に示す光ファイバコネクタは、コネクタハウジングと、コネクタハウジングに嵌合離脱方向にスライド可能に保持されたスライドカバーとを備えている。コネクタハウジングには、光送受信モジュールの孔にロックされる被ロック部を有する、弾性的に変位する片持ち梁状の弾性ロックアームが設けられている。また、弾性ロックアームには、被ロック部のロック解除を行うための被操作部が設けられている。一方、スライドカバーには、弾性ロックアームの被操作部と当接する当接部が設けられている。そして、スライドカバーが嵌合離脱方向にスライドすると、当接部が被操作部を操作して被ロック部のロック解除を行うようになっている。
【先行技術文献】
【特許文献】
【０００８】
【特許文献１】特開２００６−１１１０２号公報
【特許文献２】特開２００５−１７３１７３号公報
【発明の概要】
【発明が解決しようとする課題】
【０００９】
しかしながら、この従来の図７（Ａ），（Ｂ）に示した特許文献１に記載された光ファイバコネクタ１００及び特許文献２に記載された光ファイバコネクタにあっては、以下の問題点があった。
即ち、図７（Ａ），（Ｂ）に示した特許文献１に記載の光ファイバコネクタ１００の場合、弾性的に変位する片持ち梁状の弾性ロックアーム１１１が光ファイバコネクタ１００（コネクタハウジング１１０）自身に設けられている。従って、接続相手側に弾性的に変位する片持ち梁状の弾性ロックアームが設けられている場合には、図７（Ａ），（Ｂ）に示した特許文献１に記載のカバー１２０によっては、ロック解除を行うことができない。
【００１０】
また、特許文献２に記載の光ファイバコネクタの場合も、弾性的に変位する片持ち梁状の弾性ロックアームが光ファイバコネクタ（コネクタハウジング）自身に設けられている。従って、相手側である光送受信モジュールに弾性的に変位する片持ち梁状の弾性ロックアームが設けられている場合には、特許文献２に記載のスライドカバーによっては、ロック解除を行うことができない。
【００１１】
近年においては、光ファイバコネクタ自身の構造、構成を簡単にするために、弾性ロックアームを相手接続側に設ける要請する場合が多々ある。このような場合に、弾性ロックアームのロック解除を簡単かつ容易な操作で行うことが好ましい。
従って、本発明はこの問題点に鑑みてなされたものであり、その目的は、弾性的に変位する片持ち梁状の弾性ロックアームが嵌合相手のアダプタ側に設けられている場合に、弾性ロックアームによるロック解除を容易に行うことができる光ファイバコネクタを提供することにある。
【課題を解決するための手段】
【００１２】
上記目的を達成するために、本発明のうち請求項１に係る光ファイバコネクタは、弾性的に変位する片持ち梁状の弾性ロックアームを有するアダプタに嵌合されるコネクタハウジングを有する光ファイバコネクタであって、前記コネクタハウジングが前記アダプタに嵌合された際に、前記弾性ロックアームが前記コネクタハウジングをロックする光ファイバコネクタにおいて、前記コネクタハウジングに、引張操作によって、前記弾性ロックアームの前記コネクタハウジングに対するロック状態を解除する、可撓性を有するプルタブを固着し、前記コネクタハウジングに、前記弾性ロックアームが前記コネクタハウジングをロックする際に、前記弾性ロックアームが係合する、光ファイバケーブルが延びる方向に対して交差する方向に延びる肩部を形成し、前記プルタブは、前記弾性ロックアームが前記コネクタハウジングをロックする際に、前記肩部と前記弾性ロックアームの一部との間に配置されるように、前記コネクタハウジングに固着されることを特徴としている。
【００１４】
また、本発明のうち請求項２に係る光ファイバコネクタは、請求項１記載の光ファイバコネクタにおいて、前記プルタブは、前記コネクタハウジングに固着される平板状の固着部と、該固着部から前記コネクタハウジングの端部を超えて光ファイバケーブルが延びる方向と平行方向に延びる摘み部とを備えることを特徴としている。
更に、本発明のうち請求項３に係る光ファイバコネクタは、請求項２記載の光ファイバコネクタにおいて、前記摘み部が、前記固着部に対して直交する平板状に形成されていることを特徴としている。
【発明の効果】
【００１５】
本発明に係る光ファイバコネクタによれば、コネクタハウジングに、引張操作によって、嵌合相手のアダプタ側に設けられた弾性ロックアームのコネクタハウジングに対するロック状態を解除するプルタブを固着した。このため、弾性的に変位する片持ち梁状の弾性ロックアームが嵌合相手のアダプタ側に設けられている場合に、プルタブの引張操作によって、弾性ロックアームによるロック解除を容易に行うことができる。
【図面の簡単な説明】
【００１６】
【図１】本発明に係る光ファイバコネクタの第１実施形態をアダプタに嵌合する前の状態の斜視図である。
【図２】図１に示す光ファイバコネクタをアダプタに嵌合した状態の斜視図である。
【図３】図１に示す光ファイバコネクタをアダプタに嵌合し、プルタブ係合部が肩部との間でプルタブを挟持した状態を示す縦断面図である。
【図４】図１に示す光ファイバコネクタをアダプタに嵌合し、ロック突起が肩部と係合した状態を示す縦断面図である。
【図５】図１に示す光ファイバコネクタをアダプタに嵌合した状態からプルタブを引張操作した初期の状態の縦断面図である。
【図６】本発明に係る光ファイバコネクタの第２実施形態を別のアダプタに嵌合した状態の斜視図である。
【図７】従来例のロック状態を解除する機能を有する光ファイバコネクタを示し、（Ａ）はカバーをコネクタハウジングに装着する前の斜視図、（Ｂ）はカバーによるロック解除の作用を説明するための断面図である。
【発明を実施するための形態】
【００１７】
以下、本発明に係る光ファイバコネクタの第１実施形態を図１乃至４を参照して説明する。
図１乃至図５において、光ファイバコネクタ１は、アダプタ５０の一端側（図１における右側、前側）からアダプタ５０内に嵌合する。一方、アダプタ５０の他端側（後側）には、アダプタ５０とは別個のアダプタ（図示せず）が取り付けられる。そして、光ファイバコネクタ１とは別個の光ファイバコネクタが、アダプタ５０の他端側から前記別個のアダプタ内に嵌合し、光ファイバコネクタ１に相互接続される。
ここで、アダプタ５０は、アダプタ本体６０と、アダプタ本体６０の前側に固着されたアダプタカバー７０とを備えている。
アダプタカバー７０は、図１乃至図５に示すように、アダプタ本体６０の前側に固着される固着部７１と、フード部７３と、弾性ロックアーム７４とを備えている。アダプタカバー７０は、合成樹脂を成形することによって一体に形成される。
【００１８】
固着部７１は、略矩形の平板状に形成され、図３乃至図５に示すように、略中央に矩形状の開口７２を備えている。開口７２は、アダプタ本体６０の後述する突出部６２が挿通可能になっている。開口７２を挟んだ固着部７１の上下両側には、固着部７１をアダプタ本体６０に対して固着するための取付ねじ（図示せず）が挿通される１対の取付ねじ用貫通孔７１ａが形成されている。
また、フード部７３は、固着部７１の開口７２の周囲から前方に延びる四角筒状に形成され、後方からアダプタ本体６０の突出部６２を受容可能になっている。また、フード部７３は、前方から光ファイバコネクタ１を受容可能となっている。
【００１９】
更に、弾性ロックアーム７４は、固着部７１の開口７２の上端縁から前方、即ちフード部７３内に片持ち梁状に延びる。弾性ロックアーム７４は、図３及び図４に示すように、アダプタ５０に嵌合された光ファイバコネクタ１のコネクタハウジング１０をロックする機能を有する。弾性ロックアーム７４の先端（前端）には、図３に示すように、弾性ロックアーム７４がコネクタハウジング１０をロックする際に、コネクタハウジング１０に形成された後述の肩部１３との間でプルタブ４０を部分的に挟持するプルタブ係合部（弾性ロックアームの一部）７５が設けられている。そして、プルタブ係合部７５の幅方向（図３及び図４において紙面に対して直交する方向）両端の内側面（肩部１３と対向する面）には、弾性ロックアーム７４がコネクタハウジング１０をロックする際に、コネクタハウジング１０に形成された肩部１３に係合する１対のロック突起７６が設けられている。弾性ロックアーム７４において、光ファイバコネクタ１がアダプタ５０に嵌合される際に、光ファイバコネクタ１がロック突起７６に当接する。これにより、光ファイバコネクタ１の嵌合が進行可能なように弾性ロックアーム７４が上方（外方）へ弾性的に変位する。そして、光ファイバコネクタ１の嵌合が完了すると、弾性ロックアーム７４がほぼ元の状態に復元し、ロック突起７６が肩部１３に係合する。
【００２０】
また、アダプタカバー７０が取り付けられるアダプタ本体６０は、略直方体状のアダプタ本体部６１と、アダプタ本体部６１の前面上下方向略中央部から前方に延びる略四角筒状の突出部６２とを備えている。アダプタ本体６０は、合成樹脂を成形することによって形成される。そして、アダプタ本体部６１の後面から突出部６２の前面にかけて光ファイバコネクタ受容孔６３が貫通している。アダプタ本体部６１の上端部及び下端部には、固着部７１をアダプタ本体６０に対して固着するための取付ねじが螺合される１対の溝６４が設けられている。各溝６４は、アダプタ本体部６１の前面から後面にかけて貫通している。更に、突出部６２の上壁及び下壁には、光ファイバコネクタ１に形成されたディテント部１２を受容する１対のロック用開口６５が形成されている。ディテント部１２は、ロック用開口６５内に突出する、ラッチアーム６６の突起６６ａに係合する。なお、アダプタ本体部６１の後端面には、図示しない別個のアダプタが取り付けられる。
【００２１】
また、光ファイバコネクタ１は、レンズ付き多心光ファイバコネクタと呼ばれ、図１及び図３に示すように、アダプタ５０に嵌合されるコネクタハウジング１０と、レンズ付き多心フェルール２０と、光ファイバケーブル３０とを備えている。コネクタハウジング１０には、フェルール受容キャビティ１１が設けられている。フェルール受容キャビティ１１は、図３に示すように、コネクタハウジング１０の前面（図３における左面）に開口し、コネクタハウジング１０の後方に向けて延びている。フェルール受容キャビティ１１内には、レンズ付き多心フェルール２０が前後方向に移動可能に設けられている。レンズ付き多心フェルール２０は、フェルール受容キャビティ１１内に設けられたばね（図示せず）により前方側に付勢され、その前端面がコネクタハウジング１１の前端面から若干突出する。更に、光ファイバケーブル３０は、図３に示すように、多数の光ファイバ３１がレンズ付き多心フェルール２０に支持されてコネクタハウジング１０から後方に導出される。
【００２２】
そして、コネクタハウジング１０の上下両面には、図１、図３及び図５に示すように、コネクタハウジング１０の前端面から後方に向けて延びる一対の凹部１４が形成されている。また、コネクタハウジング１０の各凹部１４の後側よりの部分には、アダプタ本体６０の突出部６２に形成されたロック用開口６５に受容される１対のディテント部１２が突出形成されている。各ディテント部１２の凹部１４の底からの突出高さは、各ディテント部１２の頂部がコネクタハウジング１０の上下面と面一になる高さである。
【００２３】
更に、コネクタハウジング１０の上面のディテント部１２よりも後側の部分には、図３に示すように、肩部１３が形成されている。肩部１３は、弾性ロックアーム７４がコネクタハウジング１０をロックする際に、弾性ロックアーム７４のロック突起７６が係合する。肩部１３は、光ファイバケーブル３０が延びる方向に対して直交する方向に延びている。
【００２４】
また、コネクタハウジング１０の上面の凹部１４の後側には、引張操作によって弾性ロックアーム７４のコネクタハウジング１０に対するロック状態を解除し光ファイバコネクタ１を抜去する平坦な帯状のプルタブ４０が固着されている。プルタブ４０は、図３に示すように、弾性ロックアーム７４がコネクタハウジング１０をロックする際に、肩部１３とプルタブ係合部７５との間に配置されるように、コネクタハウジング１０に固着される。プルタブ４０は可撓性を有し、肩部１３のところで一対のロック突起７６間を通るようになっている。プルタブ４０は、接着剤、図示しないピン等によりコネクタハウジング１０に固着される。プルタブ４０は、図１に示すように、コネクタハウジング１０に固着される平板状の固着部４１と、固着部４１からコネクタハウジング１０の端部を超えて光ファイバケーブル３０が延びる方向と平行方向に延びる摘み部４２とを備えている。摘み部４２は、固着部４１に対して平行な平板状に形成されている。
【００２５】
次に、光ファイバコネクタ１のアダプタ５０への接続及びロック解除方法について図３乃至図５を参照して説明する。
先ず、アダプタ本体６０の前側にアダプタカバー７０を固着し、アダプタ５０を完成させる。
次いで、図３及び図４に示すように、光ファイバコネクタ１をアダプタ５０に嵌合する。この嵌合作業に際しては、光ファイバコネクタ１のコネクタハウジング１０を、アダプタ本体６０の光ファイバコネクタ受容孔６３内にアダプタ５０の前側から挿入する。これにより、コネクタハウジング１０に設けられたディテント部１２がアダプタ本体６０のラッチアーム６６の突起６６ａに係合し、光ファイバコネクタ１がアダプタ本体６０に対してロックされる。また、このとき同時に、アダプタカバー７０に設けられた弾性ロックアーム７４の一対のロック突起７６がコネクタハウジング１０の肩部１３に係合し、弾性ロックアーム７４がコネクタハウジング１０をロックする。この際に、図３に示すように、弾性ロックアーム７４のプルタブ係合部７５と肩部１３との間にプルタブ４０が配置される。これにより、光ファイバコネクタ１はアダプタ５０に接続される。
【００２６】
一方、アダプタ５０の後側には、アダプタ５０とは別個の図示しないアダプタがアダプタ５０に取り付けられている。そして、光ファイバコネクタ１とは別個の光ファイバコネクタを、アダプタ５０の後側から前記別個のアダプタ内に嵌合させると、この光ファイバコネクタが光ファイバコネクタ１０に相互接続される。
そして、弾性ロックアーム７４によるコネクタハウジング１０に対するロック状態を解除する際には、プルタブ４０の摘み部４２を摘んで引っ張る。すると、図５に示すように、プルタブ４０がプルタブ係合部７５と係合することによって弾性ロックアーム７４が上方（外方）に弾性的に変位し、ロック突起７６による肩部１３に対する係合状態が解かれる。これにより、弾性ロックアーム７４によるコネクタハウジング１０に対するロック状態が解除され、光ファイバコネクタ１が抜去できる。
【００２７】
従って、本実施形態に係る光ファイバコネクタ１によれば、弾性的に変位する片持ち梁状の弾性ロックアーム７４が嵌合相手のアダプタ５０側に設けられている場合に、プルタブ４０の引張操作によって、弾性ロックアーム７４によるロック解除を容易に行うことができる。
ここで、弾性ロックアーム７４がコネクタハウジング１０をロックしている際には、弾性ロックアーム７４のプルタブ係合部７５と肩部１３との間にプルタブ４０が配置されている。肩部１３は、光ファイバケーブル３０が延びる方向に対して直交する方向に延びている。このため、プルタブ４０を、光ファイバケーブル３０が延びる方向に対して斜め上方、斜め下方、あるいは水平のいずれの方向に引っ張っても弾性ロックアーム７４が上方（外方）に容易に弾性変形する。従って、ロック突起７６による肩部１３に対する係合状態を簡単かつ容易に解除することができる。
【００２８】
また、プルタブ４０の摘み部４２は、固着部４１からコネクタハウジング１０の端部を超えて光ファイバケーブル３０が延びる方向と平行方向に延びている。このため、摘み部４２を摘んでプルタブ４０を引っ張る際に、コネクタハウジング１０が邪魔にならずに容易に摘み部４２を摘むことができ、プルタブ４０の引張操作を容易に行うことができる。
そして、プルタブ４０の引張操作を続行すると、コネクタハウジング１０に設けられたディテント部１２の突起６６ａに対する係合状態が解かれ、光ファイバコネクタ１をアダプタ５０から抜去することができる。
【００２９】
次に、本発明に係る光ファイバコネクタの第２実施形態を図６を参照して説明する。図６において、図１乃至図５に示す構成部材と同様の構成部材については同一の符号を付し、その説明を省略することがある。
図６に示す光ファイバコネクタ１は、図１に示す光ファイバコネクタ１と基本構成は同様であるが、プルタブ４０の形状が図１に示す光ファイバコネクタ１におけるプルタブ４０の形状と異なっている。
【００３０】
即ち、光ファイバコネクタ１を構成するコネクタハウジング１０の上面の凹部１４の後側には、引張操作によって弾性ロックアーム７４のコネクタハウジング１０に対するロック状態を解除する平坦な帯状のプルタブ４０が固着されている。プルタブ４０は、図１に示す光ファイバコネクタ１におけるプルタブ４０と同様に、弾性ロックアーム７４がコネクタハウジング１０をロックする際に、肩部１３とプルタブ係合部７５との間に配置されるように、コネクタハウジング１０に固着される。そして、プルタブ４０は、コネクタハウジング１０に固着される平板状の固着部４１と、固着部４１からコネクタハウジング１０の端部を超えて光ファイバケーブル３０が延びる方向と平行方向に延びる摘み部４２とを備えている。
【００３１】
ここで、摘み部４２は、図１に示す光ファイバコネクタ１におけるプルタブ４０の摘み部４２と異なり、固着部４１に対して直交する平板状に形成されている。
この図６に示す光ファイバコネクタ１が接続されるアダプタ５０は、図１に示すアダプタ５０と異なり、複数の光ファイバコネクタ１を固着部４１の平面方向に一列状に受容するようになっている。このため、アダプタカバー７０は、複数の弾性ロックアーム７４を有している。また、アダプタカバー７０が取り付けられるアダプタ本体６０においては、アダプタ本体部６１の後面から突出部６２の前面にかけて複数の光ファイバコネクタ受容孔６３が貫通している。複数の光ファイバコネクタ受容孔６３は、固着部４１の平面方向に一列状に形成されている。更に、突出部６２の上壁及び下壁であって各光ファイバコネクタ受容孔６３に対応する位置には、複数の光ファイバコネクタ１に形成された複数のディテント部１２が係合する複数対のロック用開口（図示せず）が形成されている。
【００３２】
次に、光ファイバコネクタ１のアダプタ５０への接続及びロック解除方法について図６を参照して説明する。
先ず、アダプタ本体６０の前側にアダプタカバー７０を固着し、アダプタ５０を完成させる。
次いで、各光ファイバコネクタ１をアダプタ５０に嵌合する。この嵌合作業に際しては、各光ファイバコネクタ１のコネクタハウジング１０を、アダプタ本体６０の各光ファイバコネクタ受容孔６３内にアダプタ５０の前側から挿入する。これにより、各コネクタハウジング１０に設けられたディテント部１２がアダプタ本体６０のラッチアーム６６の突起６６ａに係合し、各光ファイバコネクタ１がアダプタ本体６０に対してロックされる。また、このとき同時に、アダプタカバー７０に設けられた各弾性ロックアーム７４のロック突起７６が各コネクタハウジング１０の肩部１３に係合し、各弾性ロックアーム７４が各コネクタハウジング１０をロックする。この際に、各弾性ロックアーム７４のプルタブ係合部７５と肩部１３との間に各プルタブ４０が配置される。これにより、各光ファイバコネクタ１はアダプタ５０に接続される。
【００３３】
そして、各弾性ロックアーム７４による各コネクタハウジング１０に対するロック状態を解除する際には、各プルタブ４０の摘み部４２を摘んで引っ張る。すると、各プルタブ４０がプルタブ係合部７５と係合することによって各弾性ロックアーム７４が上方（外方）に弾性的に変位し、各ロック突起７６による肩部１３に対する係合状態が解かれる。これにより、各弾性ロックアーム７４による各コネクタハウジング１０に対するロック状態が解除される。
【００３４】
ここで、摘み部４２は、図１に示す光ファイバコネクタ１におけるプルタブ４０の摘み部４２と異なり、固着部４１に対して直交する平板状に形成されている。従って、アダプタ５０が複数の光ファイバコネクタ１を固着部４１の平面方向に一列状に受容している状態で、各プルタブ４０の摘み部４２を摘んで引っ張る際に、隣接するプルタブ４０の摘み部４２同士が干渉せずに容易に摘み部４２を引っ張ることができる。
【００３５】
また、各弾性ロックアーム７４がコネクタハウジング１０をロックしている際には、各弾性ロックアーム７４のプルタブ係合部７５と各肩部１３との間にプルタブ４０が配置されている。各肩部１３は、光ファイバケーブル３０が延びる方向に対して直交する方向に延びている。このため、各プルタブ４０を、光ファイバケーブル３０が延びる方向に対して斜め上方、斜め下方、あるいは水平のいずれの方向に引っ張っても各弾性ロックアーム７４が上方（外方）に容易に弾性変形する。従って、各ロック突起７６による肩部１３に対する係合状態を簡単かつ容易に解除することができる。
【００３６】
また、各プルタブ４０の摘み部４２は、固着部４１からコネクタハウジング１０の端部を超えて光ファイバケーブル３０が延びる方向と平行方向に延びている。このため、各摘み部４２を摘んでプルタブ４０を引っ張る際に、コネクタハウジング１０が邪魔にならずに容易に各摘み部４２を摘むことができ、各プルタブ４０の引張操作を容易に行うことができる。
【００３７】
以上、本発明の実施形態について説明してきたが、本発明はこれに限定されずに種々の変更、改良を行うことができる。
例えば、プルタブ４０は、コネクタハウジング１０に固着されるとともに、引張操作によって、弾性ロックアーム７４のコネクタハウジング１０に対するロック状態を解除するものであればよく、必ずしも平坦な帯状に形成される必要はない。プルタブ４０は、例えば紐状であってもよい。
【００３８】
また、プルタブ４０は、必ずしも、平板状の固着部４１と、固着部４１からコネクタハウジング１０の端部を超えて光ファイバケーブル３０が延びる方向と平行方向に延びる摘み部４２とを備えていなくても良い。
また、コネクタハウジング１０に形成される肩部１３は、必ずしも光ファイバケーブル３０が延びる方向に対して直交する方向に延びる必要はなく、当該光ファイバケーブル３０が延びる方向に対して交差する方向に延びていればよい。
【００３９】
また、プルタブ４０は、弾性ロックアーム７４がコネクタハウジング１０をロックする際に、肩部１３とプルタブ係合部７５との間に配置されるように、コネクタハウジング１０に固着される必要は必ずしもない。
さらに、プルタブ４０は、一対のロック突起７６間ではなく、１個のロック突起７６近傍を通ってもよい。
【００４０】
また、プルタブ係合部７５の幅方向両端に一対のロック突起７６が設けられているが、プルタブ係合部７５は肩部１３との間にプルタブ４０を配置するように弾性ロックアーム７４の一部に形成されていればよく、ロック突起７６と離れていてもかまわない。
また、アダプタ５０は、アダプタ本体６０と、アダプタカバー７０との二体により構成されているが、一体により構成してもよい。
また、光ファイバコネクタ１は、レンズ多心光ファイバコネクタに限らず、ＳＣ形等の他の光ファイバコネクタであってもよい。一方、アダプタ５０に嵌合する別個の光ファイバコネクタは、ＳＣ形、ＦＣ形、ＭＰＯ形等種々の光ファイバコネクタを適用できる。
【符号の説明】
【００４１】
１  光ファイバコネクタ
１０  コネクタハウジング
１３  肩部
３０  光ファイバケーブル
４０  プルタブ
４１  固着部
４２  摘み部
５０  アダプタ
７４  弾性ロックアーム
７５  プルタブ係合部（弾性ロックアームの一部）
【図１】
0005827577.tif 000002
【図２】
0005827577.tif 000003
【図３】
0005827577.tif 000004
【図４】
0005827577.tif 000005
【図５】
0005827577.tif 000006
【図６】
0005827577.tif 000007
【図７】
0005827577.tif 000008